(57)【要約】【課題】ユーザーの誤操作によって無駄に車両のメカ及びタイヤに負担をかけるようなことがない四輪独立操舵機構用の操舵角制御装置を提供する。【解決手段】本発明は、四輪独立操舵機構を有し、前輪のみの操舵による通常モードと、前輪後輪が同方向に操舵され、車両が平行移動する平行移動モードと、前輪がハの字状、後輪が上下逆のハの字状に操舵され、その場で車両が回転する回転モードを備える操舵角制御装置に関するものであり、各モードを選択するスイッチ６と、遅延タイマ８と、車輪の駆動を行うアクチュエータ９と備えており、運転者によってあるモード選択スイッチ６が押下されると、当該モード選択スイッチが所定の時間押下され続けていることを遅延タイマ８で計時した上で、アクチュエータ９によって車輪の操舵角の変更を行うようにＥＣＵ５が制御を行う。【選択図】      図２
2008013045.tif 000002
【特許請求の範囲】
【請求項１】
複数の車輪を独立して操舵可能な独立操舵機構を有し、複数の操舵モードを変更することで異なる移動モードを達成可能な車両の操舵角制御装置において、
各モード選択手段と、計時を行うタイマと、車輪の操舵を行うアクチュエータと備えており、
運転者によってあるモード選択手段が選択された時に該タイマの計時を開始し、該タイマが所定の時間を計時した後に、該アクチュエータによって車輪の操舵角の変更を行うことを特徴とする操舵角制御装置。
【請求項２】
該アクチュエータは、該タイマの計時完了時に選択されている操舵モードになるように車輪の操舵角の変更を行うことを特徴とする請求項１に記載の操舵角制御装置。
【請求項３】
該タイマの計時中に操舵モードが選択された時、該所定の時間を待たず、選択された操舵モードになるように車輪の操舵角の変更を行うことを特徴とする請求項１又は請求項２に記載の操舵角制御装置。
【請求項４】
該操舵モードは、所定の車輪のみを同方向に操舵する通常モードと、該所定の車輪を含む全車輪が同方向に操舵され、車両が平行移動する平行移動モードと、前輪がハの字状、後輪が上下逆のハの字状に操舵され、その場で車両が回転する回転モードを備えることを特徴とする請求項１乃至請求項３のいずれかに記載の操舵角制御装置。
【請求項５】
該平行移動モードにおいては、前方向への移動、後ろ方向への移動、左前方向への移動、右後ろ方向への移動、右前方向への移動、左後ろ方向への移動、真左への移動、真右への移動の８方向への移動が可能であり、該８方向のいずれかを選択するための方向選択手段を有しており、運転者によってある方向選択手段が選択されると、当該方向選択手段が所定の時間選択され続けていることを該タイマで計時した上で、該アクチュエータによって車輪の操舵角の変更を行うことを特徴とする請求項１乃至請求項４のいずれかに記載の操舵角制御装置。
【発明の詳細な説明】
【技術分野】
【０００１】
本発明は、四輪独立操舵機構を有する四輪独立操舵車の走行モードを切り替えるための制御を行う操舵角制御装置に関する。
【背景技術】
【０００２】
従来より、四輪独立操舵機構を有する車両は、前輪のみの操舵による通常モードや、前輪後輪が同方向に操舵され、車両が平行移動する所謂カニモード等の走行モードで走行を可能とするものであった。このような四輪独立操舵機構を有する車両の例としては、例えば、特許文献１（特開平８−２３０７０８号公報）に、走行時の安定性を確保するために、前輪および／または後輪ステアリングにより複数のステアリングモードを選択可能なホイール式クレーンの、走行速度を検出し、その走行速度に基づいてリアステアリングロック作動、リアステアリングロック解除作動、あるいはステアリングモード切換作動の指令信号を出力するステアリング制御方法であって、走行速度が所定の値以下であることを検出したのち、リアステアリングロック解除の作動指令信号を出力することを特徴とするホイール式クレーンのステアリングモード切換制御方法が開示されている。また、特許文献２（特開平９−２６３２５４号公報）に、ステアリングモード切り換えスイッチを切り換えた時、前後車輪角がそのモードに合っていない場合、速やかに車輪角を設定モードに合わせるために、前後車輪の可動部に角度センサーを取り付け角度を検知し、モード補正ボタンを押すことによりコントローラーが、逆ステアリング補正バルブステアリングモード切り換えバルブ、後２輸ステアリング用切り換えバルブを制御して、ステアリングバルブからの油圧で、前後車輪角を設定モードに合し、運転者にブザーと車輪角ＯＫランプで報知する四輪操舵装置が記載されている。
【特許文献１】特開平８−２３０７０８号公報
【特許文献２】特開平９−２６３２５４号公報
【発明の開示】
【発明が解決しようとする課題】
【０００３】
発明者らが現在開発を行っている四輪独立操舵機構を有する車両においては、運転者は四輪独立操舵車の走行モードを車両停止時に切り替えて、切り替えられた走行モードに応じて個々のタイヤの角度を変更するようにしているが、車両の停止時にこれを行うために、タイヤ角を変更するためのメカニカルな構成に負担がかかったり、タイヤがその場で大きく地面とこすれあうために、タイヤの摩耗が生じたりするということがある。したがって、四輪独立操舵機構を有する車両においては、車両への負担を軽減するために走行モードの変更は頻繁には行いたくないという背景がある。ところで、運転者は走行モードの選択を、運転席に備えられた操作スイッチ等により行うが、運転者がスイッチの選択をミスすると、ミスのたびにタイヤの角度を変更することとなり、上述のような負担を車両のメカ部分及びタイヤに強いることとなる。そこで、運転者の走行モードの選択ミスに対して何らかの対応を行い、車両のメカ、タイヤの負担の軽減を図らねばならないが、従来の技術ではそのようなことが考慮されていなかった。
【課題を解決するための手段】
【０００４】
このような課題を解決するために、請求項１に係る発明は、複数の車輪を独立して操舵可能な独立操舵機構を有し、複数の操舵モードを変更することで異なる移動モードを達成可能な車両の操舵角操舵角制御装置において、各モード選択手段と、計時を行うタイマと、車輪の操舵を行うアクチュエータと備えており、運転者によってあるモード選択手段が選択された時に該タイマの計時を開始し、該タイマが所定の時間を計時した後に、該アクチュエータによって車輪の操舵角の変更を行うことを特徴とする。
【０００５】
また、請求項２に係る発明は、請求項１に記載の操舵角制御装置において、該アクチュエータは、該タイマの計時完了時に選択されている操舵モードになるように車輪の操舵角の変更を行うことを特徴とする。
【０００６】
また、請求項３に係る発明は、請求項１又は請求項２に記載の操舵角制御装置において、該タイマの計時中に操舵モードが選択された時、該所定の時間を待たず、選択された操舵モードになるように車輪の操舵角の変更を行うことを特徴とする。
【０００７】
また、請求項４に係る発明は、請求項１乃至請求項３のいずれかに記載の操舵角制御装置において、該操舵モードは、所定の車輪のみを同方向に操舵する通常モードと、該所定の車輪を含む全車輪が同方向に操舵され、車両が平行移動する平行移動モードと、前輪がハの字状、後輪が上下逆のハの字状に操舵され、その場で車両が回転する回転モードを備えることを特徴とする。
【０００８】
また、請求項５に係る発明は、請求項１乃至請求項４のいずれかに記載の操舵角制御装置において、該平行移動モードにおいては、前方向への移動、後ろ方向への移動、左前方向への移動、右後ろ方向への移動、右前方向への移動、左後ろ方向への移動、真左への移動、真右への移動の８方向への移動が可能であり、該８方向のいずれかを選択するための方向選択手段を有しており、運転者によってある方向選択手段が選択されると、当該方向選択手段が所定の時間選択され続けていることを該タイマで計時した上で、該アクチュエータによって車輪の操舵角の変更を行うことを特徴とする。
【発明の効果】
【０００９】
本発明の実施の形態の操舵角制御装置によれば、モード選択スイッチや方向選択スイッチが所定の時間押されていたことをタイマによって計測し確認してから、実際に選択されたモード、選択方向に対応するタイヤ配置パターンへとタイヤの操舵角を変更するようにサーボモータを制御するので、ユーザーの誤操作によって無駄に車両のメカ及びタイヤに負担をかけるようなことがない。
【発明を実施するための最良の形態】
【００１０】
以下、本発明の実施の形態を図面を参照しつつ説明する。図１は、本発明の実施の形態に係る操舵角制御装置の運転席におけるスイッチ類を示す図であり、図２は、本発明の実施の形態に係る操舵角制御装置のシステム構成の概要を示す図である。
【００１１】
図1において、１は運転席、２はモード選択スイッチパネル、３はステアリング、４は方向選択スイッチを示している。また、図２のシステム構成図において、５はＥＣＵ（電子制御ユニット）、６はモード選択スイッチ、７は方向選択スイッチ、８は遅延タイマ、９はサーボモータなどのアクチュエータをそれぞれ示している。なお、システム構成図上では、モード選択スイッチ６、方向選択スイッチ７として示されているが、それぞれの実際の物理的な形状・配置等は、後述するようになっている。
【００１２】
本実施形態の操舵角制御装置は、車両に設けられた四輪の操舵角それぞれを独立に駆動して各種の走行モードを選択・制御するものである。本実施形態の操舵角制御装置では、このような走行モードとして、大きく分けて、前輪のみの操舵による通常モード、前輪後輪が同方向に操舵され、車両が８方向へ平行移動する平行移動モード（本明細書では、これを「８方向モード」と称することとする）、その場で車両が回転する回転モードを備えるものである。
【００１３】
本実施形態の操舵角制御装置が搭載された運転席１においては、モード選択スイッチパネル２は、「通常モード」、「８方向モード」、「回転モード」を選択するためのスイッチが搭載されるパネルであり、特にステアリング３には、「８方向モード」が提供する８方向への移動のうちどの方向に移動するかを選択する方向選択スイッチ４が設けられている。
【００１４】
図２において、ＥＣＵ（電子制御ユニット）５はＣＰＵなどの演算装置からなり、モード選択スイッチ６、方向選択スイッチ７からの信号を受け、不図示の不揮発性記憶手段等に記憶されたプログラムに基づいて制御を行い、車輪の操舵を行う例えばサーボモータなどのアクチュエータ９を駆動する。ここで、アクチュエータ９は、車両の四輪それぞれに設けられている操舵角を変更するための機構であり、モード選択スイッチ６、方向選択スイッチ７により、「通常モード」、「８方向モード」、「回転モード」のモード選択、「８方向モード」における方向選択がなされるとそれに応じて、四輪の操舵角を後述するように変更するものである。また、遅延タイマは、モード選択スイッチ６、方向選択スイッチ７が押下された時に、その押下時間を計測するものであり、詳細については後述する。
【００１５】
図２の操舵角制御装置のシステム構成においては、本発明の実施の形態に係る部分のみを図示しており、ＥＣＵ（電子制御ユニット）５には、操舵角制御装置以外の他の制御を行うためのセンサ類、またそれらのセンサ類のセンシング結果によって車両搭載の各種機器を制御する制御装置類、大容量記憶装置、通信装置などが接続されている。ＥＣＵ（電子制御ユニット）５には、不図示のＲＯＭ等の不揮発性記憶手段が接続されており、当該不揮発性記憶手段は、本実施形態に係る操舵角制御装置のシステムを動作させるためのプログラム、及び前述したような他の制御のためのプログラムが記憶・格納されている。
【００１６】
次に、本実施形態の操舵角制御装置における走行モードの選択について説明する。図３は、本発明の実施の形態に係る操舵角制御装置の各走行モード切り替えにつき示す図であり、図４は、本発明の実施の形態に係る操舵角制御装置の各走行モードのモード選択スイッチを示す図である。本実施形態の操舵角制御装置では、走行モードとして、前輪のみの操舵による通常モード１１、前輪後輪が同方向に操舵され、車両が８方向へ平行移動する平行移動モードである８方向モード１２、その場で車両が回転する回転モード１３を備えるものであり、これらの各モードを選択するためにモード選択スイッチパネル２には、通常モード選択スイッチ２１、８方向モード選択スイッチ２２、回転モード選択スイッチ２３が設けられる。これらのスイッチはいずれも押下式のものであり、運転者は後述するように一定時間スイッチを押し続けない限り、モード選択動作が開始されない仕組みとなっている。いずれのモード間の切り替えも車両の停止中に行われるものである。通常モード１１は、前輪のみの操舵によって車両の進行方向を決定する方式である。８方向モード１２、回転モード１３については後に詳述する。
【００１７】
次に、本実施形態の操舵角制御装置における８方向モード、回転モードについて説明する。図５は、本発明の実施の形態に係る操舵角制御装置の８方向モード、回転モードを示す図であり、図６は、本発明の実施の形態に係る操舵角制御装置の８方向モードの方向選択スイッチを示す図であり、図７は本発明の実施の形態に係る操舵角制御装置による通常モードと８方向モードの走行状態の違いを説明するための図である。
【００１８】
図５において示されるのは、８方向モード、回転モードにおける車両とタイヤの操舵角との関係図、及びそのときの左前輪の操舵角、右前輪の操舵角、左後輪の操舵角、右後輪の操舵角である。８方向モードとは、「前方への走行するモード」、「後方への走行するモード」、「右前方に走行するモード」、「左後方に走行するモード」、「左前方に走行するモード」、「右後方に走行するモード」、「真左に走行するモード」、「真右に走行するモード」の８種類モードのことを示している。それぞれのモードにおいては、図示するようなそれぞれのタイヤの操舵角のパターンとなる。ここで、８方向モードの方向選択スイッチについて説明すると、図６に示すように、方向選択スイッチ４はステアリング３の周方向に均等に８つ並んだ構成となっている。本実施形態の操舵角制御装置においては、８方向モードがモード選択スイッチによって選択されると、ステアリング３は不図示の機構によって中立位置にロックされて、ただ方向選択スイッチ４の選択によってのみ車両の移動が可能となるように構成されている。図７（Ａ）は、通常モードによって車両が（Ｉ）から（ＩＩ）へと右側にカーブする様子を示している。これに対して、本実施形態の操舵角制御装置によって、例えば、８方向モードのうち「左前方に走行するモード」が選択されると、車両は図７（Ｂ）に示すように（Ｉ）から（ＩＩ）へと平行移動する。
【００１９】
回転モードは、図５に示すように、前輪がハの字状、後輪が上下逆さまのハの字状のタイヤパターンとなって、その場で、車両が回転するようなモードである。なお、このとき、タイヤの角度は、車両のホイールベースや車幅によって変化するものであり、必ずしも４５°のハの字状とはならない。
【００２０】
ところで、以上のように構成された操舵角制御装置においては、例えば、運転者が方向選択スイッチ４で「右前方に走行するモード」を選択しようとしていたのに、「左前方に走行するモード」を選択してしまい、慌ててこれに気付き、あらためて「右前方に走行するモード」を選択するという操作を行うと、タイヤパターンは一端パターン（３）となってから次にパターン（２）となる、というように無駄にタイヤの操舵角を変更することとなる。「発明が解決しようとする課題」の欄にも記載したように、四輪独立操舵機構を有する車両においては、このような操舵角の変更は、車両の停車時に行う。このため、タイヤ角を変更するためのメカニカルな構成に負担がかかったり、タイヤがその場で大きく地面とこすれあうために、タイヤの摩耗が生じたりする。すなわち、運転者のちょっとした操作ミスでも、車両のメカ及びタイヤに大きな負担を強いることとなる。このような課題を解決するために、本実施形態の操舵角制御装置においては、モード選択スイッチ２１、２２、２３や方向選択スイッチ４が所定の時間押されていたことを遅延タイマ８によって計測し確認してから、実際に選択されたモード、選択方向に対応するタイヤ配置パターンへとタイヤの操舵角を変更することによって、無駄に車両のメカ及びタイヤに負担をかけないようにする。
【００２１】
以下、これを具体的にどのように行うかにつき説明する。図８乃至図１０は、本発明の実施の形態に係る操舵角制御装置の制御フローを示す図である。図８乃至図１０の動作フローは、不図示の不揮発性記憶手段に記述された本実施形態の操舵角制御装置用のプログラムに基づいて、図２におけるＥＣＵ５、モード選択スイッチ６、方向選択スイッチ７、遅延タイマ８、アクチュエータ９が協働することによって実現される。当該プログラムは、車両全体の制御用プログラムの一つのルーチンである、というように考えることができる。
【００２２】
まず図８について説明する。図８の制御ブローにおいては、どのスイッチが押されてどのような切り替え動作を運転者が所望しているのかを判定することが主となる。このような判定を行うのは、遅延させるべき動作が、モード選択スイッチを押下しているときに生じるのか、方向選択スイッチを押下しているときに生じるのか、で異なってくるためである。
【００２３】
まずステップＳ１００で操舵角制御装置の制御フローのルーチンが開始されると、ステップＳ１０１において、通常モードから、８方向モード又は回転モードへの切り替えであるのかを判定する。ここで、判定結果がＹｅｓである場合には、ルーチンＡと進む。判定結果がＮｏである場合には、次にステップＳ１０２へと進み、８方向モード、回転モードの中での切り替え動作であるのかどうかを反手する。このステップＳ１０２での判定結果がＹｅｓである場合にはルーチンＢへと進む。ステップＳ１０２での判定結果がＮｏであるときには、ステップＳ１０３へと進む。ステップＳ１０３においては、８方向モード又は回転モードから通常モードへの切り替えかどうかが判定される。ステップＳ１０３における判定結果が、Ｎｏである場合には、ステップＳ１０４へと進み、操舵角制御装置の制御フローのルーチンを終了する。
【００２４】
ステップＳ１０３における判定結果が、Ｙｅｓである場合には、ステップＳ１０５へと進み、遅延タイマ８による計時をスタートさせる。Ｓ１０６においては、モード選択スイッチ（２１）が所定の時間以上押下されていたかどうかを遅延タイマ８による計時に基づき判定する。この反手結果がＮｏである場合には、ステップＳ１０１へと戻り、再び、どのスイッチが押されてどのような切り替え動作を運転者が所望しているのかをチェックするルーチンに入る。
【００２５】
ステップＳ１０６における判定結果がＹｅｓである場合には、ユーザーは間違わずに操作スイッチを押下していたものであると判定することができるので、ステップＳ１０７へと進み、遅延タイマをオフして、ステップＳ１０８で通常モードへの切り替えを行う。すなわち、ステップＳ１０９において、実際にアクチュエータ９を駆動してタイヤ角度を通常モードのタイヤ角度（タイヤパターン）に変更する。、
なお、上記の所定の時間は０．７秒程度に設定しておくことが望ましい。ユーザーが誤操作をしたのか、しなかったのかを判定できて、かつ、ユーザーに対して操作上のレスポンス遅延による不快感を与えない時間が、およそ０．７秒程度であるからである。
【００２６】
次に、ルーチンＡについて、図９を参照しつつ説明する。ステップＳ２００でルーチンＡが開始されると、ステップＳ２０１において、回転モードのモード選択スイッチ２３が押下されているのかどうかが判定される。この判定結果がＹｅｓである場合には、Ｓ２０３で遅延タイマ８のカウントをスタートさせて、以後、モード選択スイッチ２３が押され続けたかどうかが判断される。
【００２７】
ステップＳ２０１での判定結果がＮｏである場合は、方向選択スイッチ４が押下されていることであるので（ステップＳ２０２）、Ｓ２０３で遅延タイマ８のカウントをスタートさせて、以後、同じ方向選択スイッチ４が押され続けられているかどうかが判断される。
【００２８】
ステップＳ２０４では、モード選択スイッチ２３又は方向選択スイッチ４が所定の時間押され続けられているかどうかが判断される。ステップＳ２０４での判断結果がＮｏである場合には、ステップＳ２０５へと進み、図８のメインルーチンのステップＳ１０１へと戻る。
【００２９】
ステップＳ２０４での判断結果がＹｅｓである場合には、ユーザーは間違わずに同じ操作スイッチを押下し続けていたものであると判定することができるので、ステップＳ２０６へと進み、遅延タイマをオフして、ステップＳ２０７でユーザーの所望するモード、方向を確認した上で、ステップＳ２０８において、実際にアクチュエータ９を駆動してタイヤ角度を運転者所望のタイヤ角度（タイヤパターン）に変更する。
【００３０】
上記の所定の時間は０．７秒程度に設定しておくことが望ましい。ユーザーが誤操作をしたのか、しなかったのかを判定できて、かつ、ユーザーに対して操作上のレスポンス遅延による不快感を与えない時間が、およそ０．７秒程度であるからである。
【００３１】
次に、ルーチンＢについて、図１０を参照しつつ説明する。ステップＳ３００でルーチンＢが開始されると、ステップＳ３０１において、８方向モードのどれかの方向選択されているのか、回転モードが選択されているのかの現状について把握される。そして、ステップＳ３０２において、その動作が行われているのか判定される。判定結果がＹｅｓである場合には、戻ってループする。ステップＳ３０２において、動作が終わっていると判定されるとＮｏであるので、次に、ステップＳ３０３で、方向選択スイッチ４又は回転モードのモード選択スイッチ２３の押下があったのかが判定される。ステップＳ３０３でＮｏである場合には、このＳ３０３をループする。ステップＳ３０３の判定結果がＹｅｓである場合には、ステップＳ３０４において遅延タイマ８を作動させる。
【００３２】
ステップＳ３０５では、モード選択スイッチ２３又は方向選択スイッチ４が所定の時間押され続けられているかどうかが判断される。ステップＳ３０５での判断結果がＮｏである場合には、ステップＳ３０６へと進み、図８のメインルーチンのステップＳ１０１へと戻る。
【００３３】
ステップＳ３０５での判断結果がＹｅｓである場合には、ユーザーは間違わずに同じ操作スイッチを押下し続けていたものであると判定することができるので、ステップＳ３０７へと進み、遅延タイマをオフして、ステップＳ３０８でユーザーの所望するモード、方向を確認した上で、ステップＳ３０９において、実際にアクチュエータ９を駆動してタイヤ角度を運転者所望のタイヤ角度（タイヤパターン）に変更する。
【００３４】
上記の所定の時間は０．７秒程度に設定しておくことが望ましい。ユーザーが誤操作をしたのか、しなかったのかを判定できて、かつ、ユーザーに対して操作上のレスポンス遅延による不快感を与えない時間が、およそ０．７秒程度であるからである。
【００３５】
以上、本発明の実施の形態の操舵角制御装置によれば、モード選択スイッチ２１、２２、２３や方向選択スイッチ４が所定の時間押されていたことを遅延タイマ８によって計測し確認してから、実際に選択されたモード、選択方向に対応するタイヤ配置パターンへとタイヤの操舵角を変更するので、ユーザーの誤操作に伴って無駄に車両のメカ及びタイヤに負担をかけるようなことがない。
【００３６】
次に、本発明の他の実施形態につき説明する。図１１乃至図１３は、本発明の他の実施の形態に係る操舵角制御装置の制御フローを示す図である。図１１乃至図１３の動作フローは、不図示の不揮発性記憶手段に記述された本実施形態の操舵角制御装置用のプログラムに基づいて、図２におけるＥＣＵ５、モード選択スイッチ６、方向選択スイッチ７、遅延タイマ８、アクチュエータ９が協働することによって実現される。当該プログラムは、車両全体の制御用プログラムの一つのルーチンである、というように考えることができる。
【００３７】
まず図１１について説明する。図１１の制御ブローにおいては、どのスイッチが押されてどのような切り替え動作を運転者が所望しているのかを判定することが主となる。このような判定を行うのは、遅延させるべき動作が、モード選択スイッチを押下しているときに生じるのか、方向選択スイッチを押下しているときに生じるのか、で異なってくるためである。
【００３８】
まずステップＳ４００で操舵角制御装置の制御フローのルーチンが開始されると、ステップＳ４０１において、通常モードから、８方向モード又は回転モードへの切り替えであるのかを判定する。ここで、判定結果がＹｅｓである場合には、ルーチンＣと進む。判定結果がＮｏである場合には、次にステップＳ４０２へと進み、８方向モード、回転モードの中での切り替え動作であるのかどうかを反手する。このステップＳ４０２での判定結果がＹｅｓである場合にはルーチンＤへと進む。ステップＳ１０２での判定結果がＮｏであるときには、ステップＳ４０３へと進む。ステップＳ４０３においては、８方向モード又は回転モードから通常モードへの切り替えかどうかが判定される。ステップＳ４０３における判定結果が、Ｎｏである場合には、ステップＳ４０４へと進み、操舵角制御装置の制御フローのルーチンを終了する。
【００３９】
ステップＳ４０３における判定結果が、Ｙｅｓである場合には、ステップＳ４０５へと進み、遅延タイマ８による計時をスタートさせる。ステップＳ４０６においては、モード選択スイッチ又は方向選択スイッチが新たに押されたかどうかを判定する。ここで、あらたなスイッチが押されていると判定されると、ステップＳ４０８へと進む。ステップＳ４０８以降は後述するように、モードや方向選択を切り替えて、タイヤの操舵角を変更するフローであるので、この実施の形態においては、モード選択スイッチ又は方向選択スイッチが新たに押された場合には、直ぐにモードや方向の切り替えを行うものである。
【００４０】
ステップＳ４０６において、あらたなスイッチが押されていると判定されないと、ステップＳ４０７へと進む。次に、ステップＳ４０７においては、モード選択スイッチ（２１）が選択された後、所定の時間以上経過したかどうかを遅延タイマ８による計時に基づき判定する。この反手結果がＮｏである場合には、ステップＳ４０６へと戻る。
【００４１】
ステップＳ４０７における判定結果がＹｅｓである場合には、ユーザーは間違わずに操作スイッチを選択していたものであると判定することができるので、ステップＳ４０８へと進み、遅延タイマをオフして、ステップＳ４０９で通常モードへの切り替えを行う。すなわち、ステップＳ４１０において、実際にアクチュエータ９を駆動してタイヤ角度を通常モードのタイヤ角度（タイヤパターン）に変更する。
【００４２】
なお、上記の所定の時間は０．７秒程度に設定しておくことが望ましい。ユーザーが誤操作をしたのか、しなかったのかを判定できて、かつ、ユーザーに対して操作上のレスポンス遅延による不快感を与えない時間が、およそ０．７秒程度であるからである。
【００４３】
次に、ルーチンＣについて、図１２を参照しつつ説明する。ステップＳ５００でルーチンＣが開始されると、ステップＳ５０１において、回転モードのモード選択スイッチ２３が押下されているのかどうかが判定される。この判定結果がＹｅｓである場合には、Ｓ５０３で遅延タイマ８のカウントをスタートさせて、以後、モード選択スイッチ２３が押され続けたかどうかが判断される。
【００４４】
ステップＳ５０１での判定結果がＮｏである場合は、方向選択スイッチ４が押下されていることであるので（ステップＳ５０２）、Ｓ５０３で遅延タイマ８のカウントをスタートさせて、以後、同じ方向選択スイッチ４が押され続けられているかどうかが判断される。ステップＳ５０６においては、モード選択スイッチ又は方向選択スイッチが新たに押されたかどうかを判定する。ここで、あらたなスイッチが押されていると判定されると、ステップＳ５０６へと進む。ステップＳ５０６以降は後述するように、モードや方向選択を切り替えて、タイヤの操舵角を変更するフローであるので、この実施の形態においては、モード選択スイッチ又は方向選択スイッチが新たに押された場合には、直ぐにモードや方向の切り替えを行うものである。
【００４５】
ステップＳ５０４において、あらたなスイッチが押されていると判定されないと、ステップＳ５０５へと進む。次に、ステップＳ５０５においては、モード選択スイッチ２３又は方向選択スイッチ４が、選択された後、所定の時間以上経過したかかどうかが判断される。ステップＳ２５０５での判断結果がＮｏである場合には、ステップＳ５０４へと進む。
【００４６】
ステップＳ５０５での判断結果がＹｅｓである場合には、ユーザーは間違わずに同じ操作スイッチを選択していたものであると判定することができるので、ステップＳ５０６へと進み、遅延タイマをオフして、ステップＳ５０７でユーザーの所望するモード、方向を確認した上で、ステップＳ５０８において、実際にアクチュエータ９を駆動してタイヤ角度を運転者所望のタイヤ角度（タイヤパターン）に変更する。
【００４７】
上記の所定の時間は０．７秒程度に設定しておくことが望ましい。ユーザーが誤操作をしたのか、しなかったのかを判定できて、かつ、ユーザーに対して操作上のレスポンス遅延による不快感を与えない時間が、およそ０．７秒程度であるからである。
【００４８】
次に、ルーチンＤについて、図１３を参照しつつ説明する。ステップＳ６００でルーチンＤが開始されると、ステップＳ６０１において、８方向モードのどれかの方向選択されているのか、回転モードが選択されているのかの現状について把握される。そして、ステップＳ６０２において、その動作が行われているのか判定される。判定結果がＹｅｓである場合には、戻ってループする。ステップＳ６０２において、動作が終わっていると判定されるとＮｏであるので、次に、ステップＳ６０３で、方向選択スイッチ４又は回転モードのモード選択スイッチ２３の押下があったのかが判定される。ステップＳ６０３でＮｏである場合には、このＳ６０３をループする。ステップＳ６０３の判定結果がＹｅｓである場合には、ステップＳ６０４において遅延タイマ８を作動させる。
【００４９】
ステップＳ６０５においては、モード選択スイッチ又は方向選択スイッチが新たに押されたかどうかを判定する。ここで、あらたなスイッチが押されていると判定されると、ステップＳ６０７へと進む。ステップＳ６０７以降は後述するように、モードや方向選択を切り替えて、タイヤの操舵角を変更するフローであるので、この実施の形態においては、モード選択スイッチ又は方向選択スイッチが新たに押された場合には、直ぐにモードや方向の切り替えを行うものである。
【００５０】
ステップＳ６０５において、あらたなスイッチが押されていると判定されないと、ステップＳ５０６へと進む。次に、ステップＳ６０６においては、モード選択スイッチ２３又は方向選択スイッチ４が選択された後、所定の時間以上経過したかどうかが判断される。ステップＳ６０６での判断結果がＮｏである場合には、ステップＳ６０５へと進む。
【００５１】
ステップＳ６０６での判断結果がＹｅｓである場合には、ユーザーは間違わずに同じ操作スイッチを選択していたものであると判定することができるので、ステップＳ６０７へと進み、遅延タイマをオフして、ステップＳ６０８でユーザーの所望するモード、方向を確認した上で、ステップＳ６０９において、実際にアクチュエータ９を駆動してタイヤ角度を運転者所望のタイヤ角度（タイヤパターン）に変更する。
【００５２】
上記の所定の時間は０．７秒程度に設定しておくことが望ましい。ユーザーが誤操作をしたのか、しなかったのかを判定できて、かつ、ユーザーに対して操作上のレスポンス遅延による不快感を与えない時間が、およそ０．７秒程度であるからである。
【００５３】
以上、本発明の他の実施の形態の操舵角制御装置によれば、モード選択スイッチ２１、２２、２３や方向選択スイッチ４が選択された後、所定の時間以上選択されていたことを遅延タイマ８によって計測し確認してから、実際に選択されたモード、選択方向に対応するタイヤ配置パターンへとタイヤの操舵角を変更するので、ユーザーの誤操作に伴って無駄に車両のメカ及びタイヤに負担をかけるようなことがない。また、モード選択スイッチ２１、２２、２３や方向選択スイッチ４が新たに押されたかどうかを判定し、新たに押された場合には、直ぐにモードや方向の切り替えを行うものであるので、ユーザーに操作上の停滞感等を感じさせるようなことはない。
【図面の簡単な説明】
【００５４】
【図１】本発明の実施の形態に係る操舵角制御装置の運転席におけるスイッチ類を示す図である。
【図２】本発明の実施の形態に係る操舵角制御装置のシステム構成の概要を示す図である。
【図３】本発明の実施の形態に係る操舵角制御装置の各走行モード切り替えにつき示す図である。
【図４】本発明の実施の形態に係る操舵角制御装置の各走行モードのモード選択スイッチを示す図である。
【図５】本発明の実施の形態に係る操舵角制御装置の８方向モード、回転モードを示す図である。
【図６】本発明の実施の形態に係る操舵角制御装置の８方向モードの方向選択スイッチを示す図である。
【図７】本発明の実施の形態に係る操舵角制御装置による通常モードと８方向モードの走行状態の違いを説明するための図である。
【図８】本発明の実施の形態に係る操舵角制御装置の制御フローを示す図である。
【図９】本発明の実施の形態に係る操舵角制御装置の制御フローを示す図である。
【図１０】本発明の実施の形態に係る操舵角制御装置の制御フローを示す図である。
【図１１】本発明の他の実施の形態に係る操舵角制御装置の制御フローを示す図である。
【図１２】本発明の他の実施の形態に係る操舵角制御装置の制御フローを示す図である。
【図１３】本発明の他の実施の形態に係る操舵角制御装置の制御フローを示す図である。
【符号の説明】
【００５５】
１・・・運転席、２・・・モード選択スイッチパネル、３・・・ステアリング、４・・・方向選択スイッチ、５・・・ＥＣＵ（電子制御ユニット）、６・・・モード選択SW、７・・・方向選択SW、８は遅延タイマ、９・・・アクチュエータ
【図１】
2008013045.tif 000003
【図２】
2008013045.tif 000004
【図３】
2008013045.tif 000005
【図４】
2008013045.tif 000006
【図５】
2008013045.tif 000007
【図６】
2008013045.tif 000008
【図７】
2008013045.tif 000009
【図８】
2008013045.tif 000010
【図９】
2008013045.tif 000011
【図１０】
2008013045.tif 000012
【図１１】
2008013045.tif 000013
【図１２】
2008013045.tif 000014
【図１３】
2008013045.tif 000015